(57)【要約】【課題】光の輝度の低下をユーザに知覚させることなく、消費電力を削減する。【解決手段】表示装置のバックライトモジュールが、光源と、光駆動制御部と、駆動電流調整部と、を備える。光駆動制御部は光源の駆動電流を出力する。駆動電流調整部は、所定周期毎に、光源に供給される駆動電流の電流値を第１電流値から第２電流値に低下させる。その後、駆動電流調整部はさらに、人間の目の残像現象に基づいて知覚される光像の輝度の減少量に対応する光量の光が光源から出射されるように、電流値を増加させる。【選択図】図６
2014220145.tif 000002
【特許請求の範囲】
【請求項１】
光源と、
前記光源の駆動電流を出力する光駆動制御部と、
所定周期毎に、前記光源に供給される前記駆動電流の電流値を第１電流値から第２電流値に低下させた後、人間の目の残像現象に基づいて知覚される光像の輝度の減少量に対応する光量の光が前記光源から出射されるように、前記電流値を増加させる駆動電流調整部と、
を備えることを特徴とするバックライトモジュール。
【請求項２】
前記駆動電流調整部は、前記所定周期毎に、前記光源に供給される前記駆動電流の前記電流値を０にした後、前記電流値を増加させることを特徴とする請求項１に記載のバックライトモジュール。
【請求項３】
入力部が受け付けるユーザ操作に基づいて、前記駆動電流調整部が、前記所定周期毎に、第２電流値まで低下させた前記駆動電流の電流値を増加させる際の増加率を調整する増加率調節部をさらに備えることを特徴とする請求項１または請求項２に記載のバックライトモジュール。
【請求項４】
前記駆動電流調整部は、クロック信号をトリガーとして、前記光源に供給される前記駆動電流の電流値を第１電流値から第２電流値に低下させることを特徴とする請求項１〜請求項３のいずれかに記載のバックライトモジュール。
【請求項５】
請求項１〜請求項３のいずれかに記載のバックライトモジュールと、
前記バックライトモジュールから出射される光を用いて、所定の映像を表示する表示ユニットと、
を備えることを特徴とする表示装置。
【請求項６】
前記バックライトモジュールの前記駆動電流調整部は、クロック信号又は前記所定の映像の垂直同期信号をトリガーとして、前記光源に供給される前記駆動電流の電流値を第１電流値から第２電流値に低下させることを特徴とする請求項５に記載の表示装置。
【請求項７】
光源の駆動電流を出力するステップと、
所定周期毎に、前記光源に供給される前記駆動電流の電流値を第１電流値から第２電流値に低下させるステップと、
人間の目の残像現象に基づいて知覚される光像の輝度の減少量に対応する光量の光が前記光源から出射されるように、前記電流値を増加させるステップと、
を備えることを特徴とする光出力制御方法。
【発明の詳細な説明】
【技術分野】
【０００１】
本発明は、表示装置に搭載されるバックライトモジュールの光出力制御に関する。
【背景技術】
【０００２】
近年、表示装置では、より鮮明な映像の需要が増々高まっているが、その一方で、消費電力の増大も問題視されている。たとえば液晶表示装置では、液晶パネルに映像を表示するための光源としてバックライトモジュールを備えているが、装置全体の総消費電力の中でもバックライトモジュールの消費電力が占める割合は非常に大きくなっている。
【０００３】
そのため、たとえば特許文献１の液晶表示装置では、液晶パネルの背後に複数の光源（冷陰極管）を配置した直下型方式のバックライトモジュールにおいて、光源の点灯と消灯とを周期的に繰り返している。また、光源に供給する管電流のデューティー比を小さくするに従って、点灯時に供給する管電流値を順次増加させている。こうすることにより、バックライトモジュールの消費電力を増加させることなく、鮮明な映像を表示させている。
【０００４】
このように、装置全体の消費電力を大幅に低減させためには、バックライトモジュールの消費電力を低減させることが有効である。
【先行技術文献】
【特許文献】
【０００５】
【特許文献１】特開２０１２−５８７３８号公報
【発明の概要】
【発明が解決しようとする課題】
【０００６】
しかしながら、バックライトモジュールの消費電力を低減させると、液晶パネルに映像を表示させるための光量も低下することになる。そのため、映像の鮮明度が低下するという問題がある。
【０００７】
また、特許文献１において、光源に供給する管電流値を増加させることなくデューティー比を小さくすれば、バックライトモジュールの消費電力を低減させることは可能であるが、映像の鮮明度も低下するおそれがある。また、特許文献１では、直下型方式のバックライトモジュールを用いているため、他の方式（たとえばエッジライト方式）と比較してより多くの光源を必要とする。そのため、省電力化には不向きである。
【０００８】
本発明は、このような状況を鑑みてなされたものであり、光の輝度の低下をユーザに知覚させることなく、消費電力を削減することができるバックライトモジュール、表示装置、及び光出力制御方法を提供することを目的とする。
【課題を解決するための手段】
【０００９】
上記目的を達成するために、本発明の一の局面によるバックライトモジュールは、光源と、光源の駆動電流を出力する光駆動制御部と、所定周期毎に、光源に供給される駆動電流の電流値を第１電流値から第２電流値に低下させた後、人間の目の残像現象に基づいて知覚される光像の輝度の減少量に対応する光量の光が光源から出射されるように、電流値を増加させる駆動電流調整部と、を備える。
【００１０】
上記構成によれば、所定周期毎に、光源に供給される駆動電流の電流値は第１電流値から第２電流値に低下される。さらに、その後、人間の目の残像現象に基づいて知覚される光像の輝度の減少量に対応する光量の光が光源から出射されるように、駆動電流の電流値が増加される。駆動電流の電流値を低下させると、バックライトモジュールの消費電力を低減させることができるが、光源から出射される光の光量も低下する。この際、光量が低下しても、いわゆる陽性残像と呼ばれる残像現象により、ユーザの目には、ある程度の輝度の光の刺激をまだ受けているような知覚が残る。知覚される輝度は経時的に減少していく。ここで、駆動電流の電流値を増加させて、知覚される輝度の減少量に対応する光量の光でユーザの目を再び刺激すると、新たに知覚される光の輝度と、陽性残像により知覚される光像の輝度の減少とをほぼ打ち消し合わせることができる。よって、光の輝度の低下をユーザに知覚させることなく、消費電力を削減することができる。
【００１１】
また、上記構成において、駆動電流調整部は、所定周期毎に、光源に供給される駆動電流の電流値を０にした後、電流値を増加させてもよい。
【００１２】
この構成によれば、光源からの光の出射を一旦停止することにより、バックライトモジュールの消費電力を大幅に低減させることができる。
【００１３】
また、上記構成において、入力部が受け付けるユーザ操作に基づいて、駆動電流調整部が、所定周期毎に、第２電流値まで低下させた駆動電流の電流値を増加させる際の増加率を調整する増加率調節部をさらに備えてもよい。
【００１４】
この構成によれば、第２電流値まで低下させた駆動電流の電流値を増加させる際の増加率をユーザが調整することができる。従って、ユーザは、光の輝度の低下を知覚しない程度に消費電力を削減することができる。
【００１５】
また、上記構成において、駆動電流調整部は、クロック信号をトリガーとして、光源に供給される駆動電流の電流値を第１電流値から第２電流値に低下させてもよい。
【００１６】
この構成によれば、クロック信号の周期設定により、駆動電流の電流値を低下させるタイミングを調節することができる。従って、消費電力が効率良く削減されるように設定することができる。
【００１７】
また、上記目的を達成するために、本発明の一の局面による表示装置は、上述のようなバックライトモジュールと、バックライトモジュールから出射される光を用いて、所定の映像を表示する表示ユニットと、を備える。
【００１８】
上記構成によれば、バックライトモジュールの光源の駆動電流の電圧値を周期的に低下させることにより、消費電力を大幅に低減させることができる。さらに、各周期において、低下させた駆動電流の電流値を増加させることにより、表示ユニットに表示される映像の輝度の低下をユーザに知覚させないようにすることができる。従って、消費電力を削減しつつ、明るく鮮明な映像をユーザに知覚させることができる。
【００１９】
また、上記構成において、バックライトモジュールの駆動電流調整部は、クロック信号又は所定の映像の垂直同期信号をトリガーとして、光源に供給される駆動電流の電流値を第１電流値から第２電流値に低下させてもよい。
【００２０】
この構成によれば、クロック信号の周期設定をしたり、垂直同期信号の周期を用いたりすることにより、駆動電流の電流値を低下させるタイミングを調節することができる。従って、消費電力が効率良く削減されるように設定することができる。
【００２１】
また、上記目的を達成するために、本発明の一の局面による光出力制御方法は、光源の駆動電流を出力するステップと、所定周期毎に、光源に供給される駆動電流の電流値を第１電流値から第２電流値に低下させるステップと、人間の目の残像現象に基づいて知覚される光像の輝度の減少量に対応する光量の光が光源から出射されるように、電流値を増加させるステップと、を備える。
【００２２】
上記構成によれば、所定周期毎に、光源に供給される駆動電流の電流値は第１電流値から第２電流値に低下される。さらに、その後、人間の目の残像現象に基づいて知覚される光像の輝度の減少量に対応する光量の光が光源から出射されるように、駆動電流の電流値が増加される。駆動電流の電流値を低下させると、バックライトモジュールの消費電力を低減させることができるが、光源から出射される光の光量も低下する。この際、光量が低下しても、いわゆる陽性残像と呼ばれる残像現象により、ユーザの目には、ある程度の輝度の光の刺激をまだ受けているような知覚が残る。知覚される輝度は経時的に減少していく。ここで、駆動電流の電流値を増加させて、知覚される輝度の減少量に対応する光量の光でユーザの目を再び刺激すると、新たに知覚される光の輝度と、陽性残像により知覚される光像の輝度の減少とをほぼ打ち消し合わせることができる。よって、光の輝度の低下をユーザに知覚させることなく、消費電力を削減することができる。
【発明の効果】
【００２３】
本発明によれば、光の輝度の低下をユーザに知覚させることなく、消費電力を削減することができるバックライトモジュール、表示装置、及び光出力制御方法を提供することができる。
【図面の簡単な説明】
【００２４】
【図１】液晶表示装置の外観斜視図である。
【図２】液晶表示装置の縦断面図である。
【図３】導光板の光入射面近傍を示す斜視図である。
【図４】第１実施形態における制御回路部の構成例を示すブロック図である。
【図５】ＬＥＤの発光停止後に生じる陽性残像を説明するためのグラフである。
【図６】第１実施形態におけるＬＥＤの光出力制御の一例を示すタイミングチャートである。
【図７】第２実施形態における制御回路部の構成例を示すブロック図である。
【図８】第２実施形態におけるＬＥＤの光出力制御の一例を示すタイミングチャートである。
【図９】第３実施形態における制御回路部の構成例を示すブロック図である。
【図１０】第３実施形態における駆動電流の波形調整例を示すグラフである。
【発明を実施するための形態】
【００２５】
以下に、図面を参照し、本発明の実施形態について、液晶表示装置１００のバックライトモジュール２を例に挙げて説明する。なお、以下では、液晶表示装置１００の映像が表示される側を前側と呼び、その反対側を裏側とよぶ。
＜第１実施形態＞
【００２６】
図１は、液晶表示装置の外観斜視図である。図２は、液晶表示装置の縦断面図である。図１に示すように、液晶表示装置１００は、液晶表示装置本体１０１と、スタンド１０２と、を備えている。また、図２に示すように、液晶表示装置本体１０１は、液晶パネル１と、エッジライト方式のバックライトモジュール２と、制御回路部３と、これらを収容するキャビネット４と、を有している。
【００２７】
液晶パネル１は、その背後のバックライトモジュール２から照射される光の透過率を制御又はその光を反射し、所定の画像を液晶パネル１の前面（図２では左側の主面）に表示する。液晶パネル１は、本発明の趣旨から外れるためにここではその構成を詳述しないが、たとえば、第１偏光板、ガラス基板、カラーフィルター、液晶層、第２偏光板、及び駆動モジュールなどを含んで構成されている。
【００２８】
バックライトモジュール２は、液晶パネル１の背後に配置され、所定の映像を表示させるための光を液晶パネル１に照射する照明装置である。図２に示すように、バックライトモジュール２は、フレーム２１と、導光板２２と、反射板２３と、光拡散部材２４と、押さえ枠体２５と、ＬＥＤ（Light emitting Diode）ユニット２６と、を備えている。
【００２９】
フレーム２１は、光拡散部材２４から出射される光を遮らないように、導光板２２、反射板２３、及び光拡散部材２４を押さえ枠体２５とともに挟持する枠状部材である。フレーム２１の内部では、液晶表示装置１００の裏側から前側に向かって、反射板２３、導光板２２、及び光拡散部材２４がこの順番で配置されている。また、フレーム２１の内壁の１つ（図２では下側の内壁）には、ＬＥＤユニット２６が配置されている
【００３０】
導光板２２は、たとえば透明なアクリル板を用いて形成されている。図２に示すように、導光板２２の側面の１つ（図２では下側の側面）は光入射面２２ａとなっている。この光入射面２２ａには、ＬＥＤユニット２６から出射される光が入射する。また、導光板２２の前側（図２では左側）の主面は液晶パネル１に光を照射する光出射面２２ｂとなっており、その反対側の主面には、導光板２２の成形時或いは印刷によって反射ドットが形成されている。光入射面２２ａから入射した光は、反射ドットで反射され、光出射面２２ｂから出射される。
【００３１】
反射板２３は、導光板２２の裏側（図２では右側）の主面に配置され、導光板２２の裏側の主面から出射される光を反射して、再び導光板２２に入射させる。この反射板２３は導光板２２に対向する面が白色で形成されている。反射板２３を備えていることで、導光板２２の裏側の主面から漏れる光を再度利用することができ、光量の減少を抑制することができる。また、反射板２３は、導光板２２及び光拡散部材２４を支持する支持部材としても作用している。
【００３２】
光拡散部材２４は導光板２２の光出射面２２ｂに貼り付けられた光学部材である。本発明の趣旨から外れるためにここではその構成を詳述しないが、光拡散部材２４は、たとえば、第１及び第２拡散シートと、第１及び第２拡散シートの間に配置されるレンズシートと、を含む複数の光学シートで構成されている。導光板２２の光出射面２２ｂから出射した光は、光拡散部材２４を通過する際に拡散され、面内での光量が一定の範囲内にそろえられ、面発光の照明光として出射される。
【００３３】
ＬＥＤユニット２６は、導光板２２の光入射面２２ａに光を出射する光源ユニットである。図３は、導光板の光入射面近傍を示す斜視図である。図３に示すように、ＬＥＤユニット２６は、複数のＬＥＤパッケージ５と、ヒートシンク６と、を有する。複数のＬＥＤパッケージ５は、導光板２２の光入射面２２ａに沿って配置されており、図示しない接着部材によってヒートシンク６に貼り付けられている。また、ＬＥＤパッケージ５は、蛍光体を含有する封止部材で封止されたＬＥＤ５１（後述する図４参照）を光源とする発光部であり、導光板２２の光入射面２２ａに白色光を出射する。複数のＬＥＤパッケージ５は、制御回路部３から延びた配線（不図示）と電気的に接続され、制御回路部３から供給される駆動電流ＩＬに応じてＬＥＤ５１が発光する。
【００３４】
次に、制御回路部３について説明する。図４は、第１実施形態における制御回路部の構成例を示すブロック図である。図４に示すように、制御回路部３は、メモリ３１と、入出力Ｉ／Ｆ３２と、制御部３３と、ＬＥＤドライバＩＣ３４と、クロック回路部３６と、電源供給部３７と、これらを搭載する基板部（不図示）と、を備えている。
【００３５】
メモリ３１は、不揮発性の記録媒体であり、制御回路部３の各部に用いられるプログラム及び制御情報などを有している。また、入出力Ｉ／Ｆ３２は、制御回路部３の外部とデータの送受信を行う通信インターフェースである。入出力Ｉ／Ｆ３２は、たとえば液晶表示装置１００のチューナ部（不図示）などから入力される映像信号を制御部３３に伝送する。
【００３６】
制御部３３は、メモリ３１に格納されたプログラム及び制御情報を用いて、液晶表示装置１００の各部を制御している。たとえば、制御部３３は、液晶パネル１、ＬＥＤユニット２６、及び制御回路部３の各部などを制御している。また、制御部３３は映像信号処理部３３１を含んで構成されている。
【００３７】
映像信号処理部３３１は、たとえば入出力Ｉ／Ｆ３２から入力される映像信号に基づいて、ＬＥＤユニット２６の発光駆動制御を行うための光制御信号と、液晶パネル１に映像を表示させるための制御信号とを生成する。生成された光制御信号はＬＥＤドライバＩＣ３４に伝送される。また、液晶パネル１に映像を表示させるための制御信号は入出力Ｉ／Ｆ３２を介して液晶パネル１に伝送される。
【００３８】
ＬＥＤドライバＩＣ３４は、ＬＥＤユニット２６を制御する光駆動制御部であり、映像信号処理部３３１から入力される光制御信号に基づいて、ＬＥＤ５１を発光駆動させるための駆動電流ＩＬを生成する。このＬＥＤドライバＩＣ３４は、駆動電流調整部３５を含んで構成されている。
【００３９】
駆動電流調整部３５は、ＬＥＤ５１から出射される光の輝度の低下をユーザに知覚させることなく、消費電力を削減するために、ＬＥＤドライバＩＣ３４で生成される駆動電流ＩＬの波形を調整する波形調整回路部である。たとえば、駆動電流調整部３５は、所定周期Ｔ毎に、ＬＥＤ５１に供給される駆動電流ＩＬの電流値を第１電流値ＩＬ１から第２電流値ＩＬ２（たとえば０［ｍＡ］）に低下させる（後述の図６参照）。その後、１周期Ｔのうちの時間（Ｔ−ｔａ）の間、駆動電流ＩＬの電流値を増加させる。このとき、駆動電流ＩＬの電流値の増加率は、人間の目の残像現象（後述する陽性残像）に基づいて知覚される光像の輝度の経時的な減少量に対応する光量の光がＬＥＤ５１から出射されるように設定されている。そして、次の時間ｔａの間、駆動電流ＩＬを第１電流値ＩＬ１とする。このように波形調整された駆動電流ＩＬは、ＬＥＤユニット２６に伝送され、ＬＥＤ５１に供給される。
【００４０】
このような、駆動電流ＩＬの調整は、たとえば、トランジスタなどのスイッチング素子、抵抗器などの抵抗素子、及び、コンデンサなどの容量素子を用いたスイッチング回路及びＲＣ回路などを用いることにより実現可能である。なお、陽性残像、及び、駆動電流ＩＬの波形調整については後に詳述する。
【００４１】
クロック回路部３６は、所定の周波数（たとえば、１２０Ｈｚ以上）のクロック信号ＣＬＫを生成し、ＬＥＤドライバＩＣ３４の駆動電流調整部３５などに出力する。
【００４２】
電源供給部３７は、たとえば液晶表示装置１００の電源部（不図示）などから電力の供給を受け、制御回路部３の各部（特にＬＥＤドライバＩＣ３４）に電力を供給している。
【００４３】
次に、本発明に利用される陽性残像について説明する。陽性残像とは、強い光（刺激）を見ることによって人間の目の網膜に像（刺激の感覚）が残り、その光を見なくなった後も、見た光と同じ色の光像が視野に短時間（たとえば１００〜２００［ｍｓｅｃ］）出現するという視覚的な残像現象である。この残像現象は、たとえば、目を閉じたとき、又は、明るいところから暗いところをみたときなどに生じる。図５は、ＬＥＤの発光停止後に生じる陽性残像を説明するためのグラフである。なお、図５において、ユーザの視覚特性は、液晶パネル１の表示を見るユーザが知覚する刺激（光の輝度）の相対的な強さを示している。第１電流値ＩＬ１の駆動電流ＩＬで発光するＬＥＤ５１の光の刺激をユーザが受ける場合のユーザの視覚特性を１．０とし、光の刺激を受けていない場合のユーザの視覚特性を０としている。なお、この指標は図５に限らず他の図においても同様である。
【００４４】
駆動電流ＩＬの電流値をたとえば０［ｍＡ］にしてＬＥＤ５１の発光を停止すると、発光停止直前の駆動電流ＩＬでの光量の刺激（光像）が人間の網膜に残る。そのため、図５に示すように、発光停止により実際の光量が直ぐに低下したとしても、陽性残像の作用により、ユーザは直ちに真っ暗になったとは感じない。ユーザは、図５のｔ＞０での点線のように、あたかも、光像の輝度が徐々に減少していくように感じる。そのため、各時点での減少量に対応する光量の光（たとえば図５の一点鎖線に示す駆動電流による光）の刺激をユーザの目に与えると、図５の二点鎖線のように、ユーザが知覚する光像の輝度の減少量を補償することができる。すなわち、ユーザの目に光の刺激を与えることにより、ユーザが知覚する光像の輝度の減少を打ち消すことができる。
【００４５】
このような現象を利用して、駆動電流調整部３５は、ＬＥＤ５１から出射される光の輝度の低下をユーザに知覚させないように、駆動電流ＩＬの波形を調整している。
【００４６】
次に、駆動電流ＩＬの波形調整によるＬＥＤ５１の光出力制御について説明する。図６は、第１実施形態におけるＬＥＤの光出力制御の一例を示すタイミングチャートである。図６に示すように、駆動電流ＩＬの波形調整はクロック信号ＣＬＫの周期Ｔ毎に行われる。各周期Ｔでは、クロック信号ＣＬＫの立ち上がりをトリガーにして、駆動電流ＩＬの電流値を第１電流値ＩＬ１から０［ｍＡ］（第２電流値ＩＬ２）に低下させて、ＬＥＤ５１の発光を停止している。すると、ユーザの視覚特性は、発光停止直後から図６の点線のように徐々に減少する。この減少を補償するために、１周期Ｔのうちの時間（Ｔ−ｔａ）の間、駆動電流ＩＬの電流値を０［ｍＡ］から増加させる。その後、次の時間ｔａの間、駆動電流ＩＬを第１電流値ＩＬ１とする。このようにすると、ユーザの視覚特性は、図６の実線のように、ほぼ１．０に維持することができる。
【００４７】
なお、以上の説明では、駆動電流ＩＬの波形調整をクロック信号ＣＬＫの周期Ｔ毎に行っているが、本発明の適用範囲はこの例示に限定されない。クロック信号ＣＬＫに代えて、液晶パネル１に表示される映像の垂直同期信号を用いてもよい。また、垂直同期信号が用いられる場合には、駆動電流ＩＬの電流値を低下させるトリガーにも、垂直同期信号が用いられる。
【００４８】
また、以上の説明では、クロック信号ＣＬＫの周期Ｔ毎に、ＬＥＤ５１に供給される駆動電流ＩＬの電流値を第１電流値ＩＬ１から０［ｍＡ］にして、ＬＥＤ５１を発光停止させているが、本発明の適用範囲はこの例示に限定されない。駆動電流ＩＬの電流値は、０［ｍＡ］でなくてもよく、第１電流値ＩＬ１よりも小さく且つ０［ｍＡ］より大きい第２電流値ＩＬ２に低下させてもよい。
【００４９】
以上、第１実施形態について説明した。第１実施形態によれば、バックライトモジュール２は、ＬＥＤ５１と、ＬＥＤドライバＩＣ３４と、駆動電流調整部３５と、を備える。ＬＥＤドライバＩＣ３４はＬＥＤ５１の駆動電流ＩＬを出力する。駆動電流調整部３５は、所定周期Ｔ毎に、ＬＥＤ５１に供給される駆動電流ＩＬの電流値を第１電流値ＩＬ１から第２電流値ＩＬ２に低下させる。その後、駆動電流調整部３５はさらに、人間の目の残像現象に基づいて知覚される光像の輝度の減少量に対応する光量の光がＬＥＤ５１から出射されるように、電流値を増加させる。
【００５０】
また、バックライトモジュール２の光出力制御方法は以下のステップを備える。一のステップでは、ＬＥＤ５１の駆動電流ＩＬを出力する。一のステップでは、所定周期Ｔ毎に、ＬＥＤ５１に供給される駆動電流ＩＬの電流値を第１電流値ＩＬ１から第２電流値ＩＬ２に低下させる。一のステップでは、人間の目の残像現象に基づいて知覚される光像の輝度の減少量に対応する光量の光がＬＥＤ５１から出射されるように、電流値を増加させる。
【００５１】
この構成によれば、所定周期Ｔ毎に、ＬＥＤ５１に供給される駆動電流ＩＬの電流値は第１電流値ＩＬ１から第２電流値ＩＬ２に低下される。さらに、その後、人間の目の残像現象に基づいて知覚される光像の輝度の減少量に対応する光量の光がＬＥＤ５１から出射されるように、駆動電流ＩＬの電流値が増加される。駆動電流ＩＬの電流値を低下させると、バックライトモジュール２の消費電力を低減させることができるが、ＬＥＤ５１から出射される光の光量も低下する。この際、光量が低下しても、いわゆる陽性残像と呼ばれる残像現象により、ユーザの目には、ある程度の輝度の光の刺激をまだ受けているような知覚が残る。知覚される輝度は経時的に減少していく。ここで、駆動電流ＩＬの電流値を増加させて、知覚される輝度の減少量に対応する光量の光でユーザの目を再び刺激すると、新たに知覚される光の輝度と、陽性残像により知覚される光像の輝度の減少とをほぼ打ち消し合わせることができる。よって、光の輝度の低下をユーザに知覚させることなく、消費電力を削減することができる。
【００５２】
また、第１実施形態のバックライトモジュール２では、駆動電流調整部３５は、所定周期Ｔ毎に、ＬＥＤ５１に供給される駆動電流ＩＬの電流値を０にした後、電流値を増加させている。こうすれば、ＬＥＤ５１からの光の出射を一旦停止することにより、バックライトモジュール２の消費電力を大幅に低減させることができる。
【００５３】
また、第１実施形態のバックライトモジュール２では、駆動電流調整部３５は、クロック信号ＣＬＫをトリガーとして、ＬＥＤ５１に供給される駆動電流ＩＬの電流値を第１電流値ＩＬ１から第２電流値ＩＬ２に低下させている。こうすれば、クロック信号ＣＬＫの周期Ｔの設定により、駆動電流ＩＬの電流値を低下させるタイミングを調節することができる。従って、消費電力が効率良く削減されるように設定することができる。
【００５４】
また、第１実施形態によれば、液晶表示装置１００は、上述のようなバックライトモジュール２と、液晶パネル１と、を備える。液晶パネル１は、バックライトモジュール２から出射される光を用いて、所定の映像を表示する。
【００５５】
この構成によれば、バックライトモジュール２のＬＥＤ５１の駆動電流ＩＬの電圧値を周期的に低下させることにより、消費電力を大幅に低減させることができる。さらに、各周期Ｔにおいて、低下させた駆動電流ＩＬの電流値を増加させることにより、液晶パネル１に表示される映像の輝度の低下をユーザに知覚させないようにすることができる。従って、消費電力を削減しつつ、明るく鮮明な映像をユーザに知覚させることができる。
【００５６】
また、第１実施形態の液晶表示装置１００では、駆動電流調整部３５は、クロック信号ＣＬＫのほか、所定の映像の垂直同期信号をトリガーとして、ＬＥＤ５１に供給される駆動電流ＩＬの電流値を第１電流値ＩＬ１から第２電流値ＩＬ２に低下させてもよい
【００５７】
こうすれば、クロック信号ＣＬＫの周期Ｔの設定のほか、垂直同期信号の周期を用いることにより、駆動電流ＩＬの電流値を低下させるタイミングを調節することができる。従って、消費電力が効率良く削減されるように設定することができる。
＜第２実施形態＞
【００５８】
次に、第２実施形態について説明する。第２実施形態では、駆動電流調整部３５は、ＬＥＤドライバＩＣ３４には含まれず、別の構成部として配置される。それ以外は、第１実施形態と同様である。以下では、第２実施形態について、第１実施形態と異なる事項について説明する。また、第１実施形態と同じ構成には同じ符号を付し、その説明を省略することがある。
【００５９】
図７は、第２実施形態における制御回路部の構成例を示すブロック図である。図８は、第２実施形態におけるＬＥＤの光出力制御の一例を示すタイミングチャートである。図７に示すように、駆動電流調整部３５は、ＬＥＤドライバＩＣ３４とは別に配置され、ＬＥＤドライバＩＣ３４から入力される駆動電流ＩＬａを図８のように波形調整する。そして、波形調整後の駆動電流ＩＬｂをＬＥＤユニット２６に伝送する。
【００６０】
このように、第２実施形態では、ＬＥＤドライバＩＣ３４と駆動電流調整部３５とが別の構成部として配置されるので、汎用のＬＥＤドライバＩＣ３４を用いることができる。
＜第３実施形態＞
【００６１】
次に、第３実施形態について説明する。第３実施形態では、駆動電流ＩＬの波形調整において、各周期Ｔのうちの時間（Ｔ−ｔａ）の間において駆動電流ＩＬの電流値を第２電流値ＩＬ２から増加させる際、その増加率を調整することができる。それ以外は、第１及び第２実施形態と同様である。以下では、第３実施形態について、第１及び第２実施形態と異なる事項について説明する。また、第１及び第２実施形態と同じ構成には同じ符号を付し、その説明を省略することがある。
【００６２】
前述のように、人間の目は強い光（刺激）を見ると、その光を見なくなった後も陽性残像によって視野に光像が出現し、その輝度は徐々に減少していく。この光像の輝度の減少速度には個人差がある。そのため、駆動電流ＩＬの波形調整の際、駆動電流ＩＬの電流値の増加率が一定であると、各時点での光像の輝度の減少量に対する光の光量が少なかったり多過ぎたりする場合が起こり得る。光量が少ない場合、陽性残像により視野に残る光像の輝度の減少を十分に補償することができなくなるため、ユーザは光の輝度の低下を知覚してしまい、液晶パネル１に表示される映像の輝度が不鮮明に見えてしまう。また、光量が多過ぎる場合、ユーザに光の輝度の低下を知覚させることはないが、消費電力の低減効果が小さくなる。よって、第３実施形態では、駆動電流ＩＬの電流値の増加率を調節できるようにしている。
【００６３】
図９は、第３実施形態における制御回路部の構成例を示すブロック図である。図１０は、第３実施形態における駆動電流の波形調整例を示すグラフである。なお、図１０の波形は、波形調整される駆動電流ＩＬの１周期分の波形を示している。
【００６４】
図９に示すように、制御回路部３はゲイン調整部３３２をさらに備えている。ゲイン調整部３３２は、駆動電流調整部３５での駆動電流ＩＬの電流値の増加率（ゲイン）を制御する増加率制御部である。ゲイン調整部３３２は、たとえば液晶表示装置１００の入力部１０５が受け付けたユーザの操作入力に基づいて、駆動電流調整部３５での駆動電流ＩＬの電流値の増加率（ゲイン）を図１０のように調整する。
【００６５】
たとえば、ユーザは、液晶パネル１の表示が暗く不鮮明であると感じる場合、駆動電流ＩＬの電流値の増加率を大きくして図１０の一点鎖線のように調節することができる。また、ユーザは、液晶パネル１の表示は明るく鮮明であるが、増加率を大きくし過ぎたと感じる場合、及び、もう少し消費電力を抑えたい場合などには、駆動電流ＩＬの電流値の増加率を小さくして図１０の二点鎖線のように調節することもできる。
【００６６】
以上、第３実施形態について説明した。第３実施形態によれば、入力部１０５が受け付けるユーザ操作に基づいて、駆動電流調整部３５が、所定周期Ｔ毎に、第２電流値ＩＬ２まで低下させた駆動電流ＩＬの電流値を増加させる際の増加率を調整するゲイン調整部３３２をさらに備える。こうすれば、第２電流値ＩＬ２まで低下させた駆動電流ＩＬの電流値を増加させる際の増加率をユーザが調整することができる。従って、ユーザは、光の輝度の低下を知覚しない程度に消費電力を削減することができる。
【００６７】
以上、本発明の実施形態について説明した。なお、上述の実施形態は例示であり、その各構成要素や各処理の組み合わせに色々な変形が可能であり、本発明の範囲にあることは当業者に理解されるところである。
【００６８】
たとえば、第１〜第３実施形態では、白色光を出射するＬＥＤ５１の光出力制御を行っているが、本発明の適用範囲はこの例示に限定されない。ＬＥＤ５１が互いに波長の異なる光（たとえば赤色光、緑色光、及び青色光）を出射する複数のＬＥＤを含んで構成され、各波長の光毎に第１〜第３実施形態と同様の光出力制御が行われてもよい。
【００６９】
また、第１〜第３実施形態では、液晶表示装置１００のバックライトモジュール２を例に挙げて説明したが、本発明の適用範囲はこの例示に限定されない。本発明は、他の表示装置のバックライトモジュールにも適用可能である。
【符号の説明】
【００７０】
１００  液晶表示装置
１０１    液晶表示装置本体
１０２    スタンド
１０５    入力部
１      液晶パネル
２      バックライトモジュール
２１      フレーム
２２      導光板
２２ａ      光入射面
２２ｂ      光出射面
２３      反射板
２４      光拡散部材
２５      押え部材
２６      ＬＥＤユニット
３      制御回路部
３１      メモリ
３２      入出力Ｉ／Ｆ
３３      制御部
３３１      映像信号処理部
３３２      ゲイン調整部
３４      ＬＥＤドライバＩＣ
３５      駆動電流調整部
３６      クロック回路部
３７      電源供給部
４      キャビネット
５      ＬＥＤパッケージ
５１      ＬＥＤ
６      ヒートシンク
【図１】
2014220145.tif 000003
【図５】
2014220145.tif 000004
【図６】
2014220145.tif 000005
【図８】
2014220145.tif 000006
【図１０】
2014220145.tif 000007
【図２】
2014220145.tif 000008
【図３】
2014220145.tif 000009
【図４】
2014220145.tif 000010
【図７】
2014220145.tif 000011
【図９】
2014220145.tif 000012